【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
デバイスであって、
細長い腹腔鏡エレメントを備える第１の部分であって、前記腹腔鏡エレメントは第１の方向に伸び、近位端と、前記近位端の反対側の遠位端と、滑らかな外側表面と、内部管状空間とを備え、
前記内部管状空間が前記第１の方向を横切る第１の断面を備え、前記第１の断面が第１の長さを備える、第１の部分と、
前記腹腔鏡エレメントの前記遠位端に連結されたセンサヘッドであって、前記腹腔鏡エレメントの前記内部管状空間は、前記腹腔鏡エレメントの前記近位端の第１の開口から前記センサヘッドに伸び、
前記センサヘッドは第１の構造及び第２の構造を備え、前記第１の構造はエミッターであり、前記第２の構造は検出器である、センサヘッドと、
前記腹腔鏡エレメントの前記遠位端で前記第１の部分に連結された第２の部分であって、前記第２の部分は、前記第１の方向を横切る第２の断面を有する第１の格納装置を備え、前記第２の断面は、前記第１の長さより大きい第２の長さを備え、
前記第１の格納装置は、
前記センサヘッドの第２の構造に連結されたアナログ−デジタル変換回路と、前記アナログ−デジタル変換回路に連結されたインターフェース回路と、
前記アナログ−デジタル変換回路及びインターフェース回路に連結されたバッテリーとを備える、第２の部分とを備える、デバイス。
【請求項２】
前記第２の部分が、前記第１の部分にしっかりと連結される、請求項１に記載のデバイス。
【請求項３】
前記第１の部分が第１のコネクタを備え、前記第２の部分が第２のコネクタを備え、前記第２のコネクタに前記第１のコネクタを対にすることによって前記第２の部分が、前記第１の部分に連結され、前記第１及び第２第１のコネクタが対になる場合、前記第１及び第２の部分が、互いに関して固定された位置でコネクタを介して保持される、請求項１に記載のデバイス。
【請求項４】
前記第１の部分の前記細長い腹腔鏡エレメントがステンレス鋼の外側表面を備え、前記第２の部分の前記第１の格納装置がプラスチック材料を含む、請求項１に記載のデバイス。
【請求項５】
前記近位端と遠位端の間の前記内部管状空間が、均一な断面の寸法を備える、請求項１に記載のデバイス。
【請求項６】
前記第１の格納装置が、前記第１の構造と、前記バッテリーと、前記トランスミッター回路とに連結された発光源を備える、請求項１に記載のデバイス。
【請求項７】
前記インターフェース回路が、第１の無線トランシーバー回路であり、前記デバイスが、前記第１の格納装置とは別の第２の格納装置を備える第３の部分を備え、前記第２の格納装置が、
前記第１の無線トランシーバー回路に無線で連結される第２の無線トランシーバー回路と、
前記アナログ−デジタル変換回路に前記第２の無線トランシーバー回路を通って連結されたプロセッシング回路と、
前記プロセッシング回路及び前記第１の格納装置のバッテリーとは別の電源に連結されたディスプレイとを含む、請求項１に記載のデバイス。
【請求項８】
前記インターフェース回路が第１の有線トランシーバー回路であり、前記デバイスが、前記第１の格納装置とは別の第２の格納装置を備える第３の部分を備え、
前記第２の格納装置が、
ケーブルを介して前記第１の有線トランシーバー回路に連結された第２の有線トランシーバー回路と、
前記アナログ−デジタル変換回路に前記第２の有線トランシーバー回路及びケーブルを通って連結されたプロセッシング回路と、
前記プロセッシング回路及び前記第１の格納装置のバッテリーとは別の電源に連結されたディスプレイとを備える、請求項１に記載のデバイス。
【請求項９】
第１の格納装置が、前記アナログ−デジタル変換器及びトランスミッター回路、並びに前記バッテリーに連結されたプロセッシング回路を備え、前記インターフェース回路が第１の無線トランシーバー回路であり、
前記デバイスが、前記第１の格納装置とは別の第２の格納装置を備える第３の部分を備え、
前記第２の格納装置が、
無線で前記第１の無線トランシーバー回路に連結された第２の無線トランシーバー回路、及び、
前記第２の無線トランシーバー回路及び前記第１の格納装置の前記バッテリーとは別の電源を通って前記プロセッシング回路に連結されたディスプレイを備える、請求項１に記載のデバイス。
【請求項１０】
第１の格納装置が、前記アナログ−デジタル変換器及びトランスミッター回路、並びに前記バッテリーに連結されたプロセッシング回路を備え、前記インターフェース回路が第１の有線トランシーバー回路であり、
前記デバイスが、前記第１の格納装置とは別の第２の格納装置を備える第３の部分を備え、
前記第２の格納装置が、
ケーブルを介して前記第１の有線トランシーバー回路に連結された第２の有線トランシーバー回路、及び、
前記第２の有線トランシーバー回路及び前記第１の格納装置の前記バッテリーとは別の電源を通って、前記プロセッシング回路に連結されたディスプレイを備える、請求項１に記載のデバイス。
【請求項１１】
前記第１の格納装置が、前記アナログ−デジタル変換器、前記トランスミッター回路及び前記バッテリーに連結されたプロセッシング回路と、前記トランスミッター回路を通って前記プロセッシング回路に連結され、前記バッテリーに連結されたディスプレイとを備える、請求項１に記載のデバイス。
【請求項１２】
前記第２の構造の前記検出器が光検出器を備え、
前記第１の部分が、
前記アナログ−デジタル変換回路に連結するため、前記光検出器に連結された電流電圧変換回路、及び、
前記腹腔鏡エレメントの前記内部管状空間を通って前記電流電圧変換回路まで伸びる電気伝導体を備える、請求項１に記載のデバイス。
【請求項１３】
前記第２の構造の前記検出器が光ファイバーを備え、
前記第２の部分は、前記光ファイバーが、前記光検出器に連結するため前記腹腔鏡エレメントの前記内部管状空間を通って伸びる、光検出器、及び、
前記光検出器と前記アナログ−デジタル変換回路の間で連結される、電流電圧変換回路を備える、請求項１に記載のデバイス。
【請求項１４】
前記第２の構造の前記検出器が前記光検出器を備え、
前記第２の部分が、前記アナログ−デジタル変換回路に連結された電流電圧変換回路を備え、
前記第１の部分が、前記第２の部分の前記電流電圧変換回路に連結するため、前記腹腔鏡エレメントの前記内部管状空間を通って前記光検出器から伸びる電気伝導体を備える、請求項１に記載のデバイス。
【請求項１５】
前記第２の構造の前記検出器が光検出器を備え、
前記第１の部分が、前記光検出器に連結された電流電圧変換回路を備えるプリント回路基板であって、前記プリント回路基板が、その上に前記電流電圧変換回路のコンポーネントが形成される第１の表面及び第２の表面を備え、前記第１及び第２の表面の平面が前記第１の方向とほぼ平行である、プリント回路基板と、
前記電流電圧変換回路に連結された第１の電気伝導体であって、前記第１の電気伝導体が、前記腹腔鏡エレメントの前記内部管状空間を通って前記プリント回路基板の第１の末端から伸びて、前記アナログ−デジタル変換回路に連結される、第１の電気伝導体とを備える、請求項１に記載のデバイス。
【請求項１６】
第１の部分が、前記第１の構造に連結された光ファイバーを備える、請求項１５に記載のデバイス。
【請求項１７】
第１の部分は、前記電流電圧変換回路に連結された、第２の電気伝導体を備え、前記第２の電気伝導体が、前記光検出器に連結するため、前記腹腔鏡エレメントの前記内部管状空間を通って前記プリント回路基板の第２の末端から伸びる、請求項１５に記載のデバイス。
【請求項１８】
前記第２の部分の前記バッテリーからの動力が、前記第１の電気伝導体を通って前記電流電圧変換回路に供給され、前記第２の電気伝導体を通って前記光検出器に供給される、請求項１７に記載のデバイス。
【請求項１９】
第３の構造を備えるデバイスであって、前記第３の構造が検出器であり、
第１の距離が前記第１の構造と前記第２の構造の間であり、
第２の距離が前記第１の構造と前記第３の構造の間であり、
前記第１の距離が前記第２の距離とは異なる、請求項１８に記載のデバイス。
【請求項２０】
前記近位端よりも前記遠位端に近づくため、前記プリント回路基板が、前記腹腔鏡エレメントの前記内部管状空間に配置される、請求項１５に記載のデバイス。
【請求項２１】
第１の構造及び第２の構造を備えるセンサヘッドを備えるオキシメータープローブを提供する工程であって、前記第１の構造がエミッターであり、前記第２の構造が検出器であり、前記オキシメータープローブが第１の無線トランシーバーを備える工程と、
第２の無線トランシーバー及びプロセスユニットを備えるシステムユニットに前記オキシメータープローブを連結する工程であって、第２の無線トランシーバーが、直接的な無線接続によって前記第１の無線トランシーバーと無線で通信する工程と、
前記検出器を使用して、光を受信して電気的なシグナル情報へと変換する工程と、
前記受信した光に関する前記電気シグナル情報をデジタルシグナル情報に変換する工程と、
第１の無線トランシーバーを使用して、前記直接的な無線接続を通して前記デジタルシグナル情報を送信する工程とを含む、方法。
【請求項２２】
前記第２の無線トランシーバーを使用して、前記オキシメータープローブから前記デジタルシグナル情報を受信する工程と、
酸素飽和値を得るために前記システムユニットのプロセッシング回路を使用して、前記デジタルシグナル情報を処理する工程と、
前記システムユニットのディスプレイ上に前記酸素飽和値を表示する工程とを含む、請求項２１に記載の方法。
【請求項２３】
前記オキシメータープローブからの前記送信されたデジタルシグナル情報が、酸素飽和値を含まない、請求項２１に記載の方法。
【請求項２４】
プロセッシング回路を使用する前記デジタルシグナル情報の処理が、
前記デジタルシグナル情報に対して空間分解分光法を行うために実行可能なコードを保存し、
空間分解分光法を使用して、前記酸素飽和値を計算するために前記実行可能なコードを実行するように構成される、請求項２２に記載の方法。
【請求項２５】
前記システムユニットがタブレット型コンピューターを備える、請求項２１に記載の方法。
【請求項２６】
前記システムユニットが腹腔鏡タワーユニットを備える、請求項２１に記載の方法。
【請求項２７】
前記オキシメータープローブが、第１の有線トランシーバー及び第１のケーブルコネクタを備え、
前記方法が、
前記システムユニットの第２のケーブルコネクタ及び第２の有線トランシーバーを介するケーブルを使用して、前記オキシメータープローブを前記システムユニットに連結する工程を含み、
前記ケーブルが前記システムユニットに前記オキシメータープローブを接続するために使用される場合、前記直接的な無線接続は無効となり、前記デジタルシグナル情報は、前記オキシメータープローブと前記システムユニットの間の直接的な有線接続を通して送信される、請求項２１に記載の方法。
【請求項２８】
前記オキシメータープローブが、前記検出器に対する電源としてバッテリーを備え、システムユニットが、前記プロセッシング回路に対して別々の電源を備える、請求項２２に記載の方法。
【請求項２９】
前記システムユニットから、前記第２の無線トランシーバーによって、前記直接的な無線接続を越えてエミッターシグナル情報を前記オキシメータープローブに送信する工程と、
前記オキシメータープローブにおいて、前記第１の無線トランシーバーからの前記エミッターシグナル情報を得る工程と、
前記オキシメータープローブにおいて、前記システムユニットからの前記エミッターシグナル情報に基づき、前記第１の構造を介して前記エミッターに光を発させる工程とを含む、請求項２２に記載の方法。
【手続補正２】
【補正対象書類名】明細書
【補正対象項目名】０１１３
【補正方法】変更
【補正の内容】
【０１１３】
腹腔鏡エレメントの外部断面寸法は、実施の際のプローブユニットの最も広いものの幅よりも小さい。また、腹腔鏡エレメントの外部断面寸法は、実施の際のプローブユニットの最も狭いものの幅よりも小さい。
【手続補正３】
【補正対象書類名】明細書
【補正対象項目名】０１２８
【補正方法】変更
【補正の内容】
【０１２８】
センサヘッドによって収集された光は、光ガイド４８０に光ガイド４６４を通って送信される。光ガイド４８０は、光検出器４５５に光を送信する。光検出器は、ＴＩＡによって増幅され、ＴＩＡからＡＤＣに送信される検出器応答を生成する。ＡＤＣは、ＴＩＡからのアナログ検出器応答のアウトプットをデジタル化し、収集した光に対するデジタル化された検出器応答をプロセッサに送信する。プロセッサは、絶対ＳｔＯ２、相対ＳｔＯ２、総ヘモグロビン、血液量又は他の情報等の検出器応答に基づく検査中の組織に対する各種情報を決定することができる。次いで、酸素測定情報は表示のためオキシメータープローブからディスプレイに送信される。酸素測定システム１７００及びオキシメータープローブ１７０１によって行われる他の機能は、他の酸素測定プローブの実施に関して上に記載される。
【手続補正４】
【補正対象書類名】明細書
【補正対象項目名】０１５３
【補正方法】変更
【補正の内容】
【０１５３】
実施では、ディスプレイは、腹腔鏡タワーユニットに含まれる、又は腹腔鏡タワーユニットを含む。腹腔鏡タワーユニット中のディスプレイによって又は腹腔鏡タワーユニットを含むことにより、医療関係者は、実施されている腹腔鏡の処置に関する視野及び情報を表示する他のモニターを見ながら、酸素測定情報を見るために腹腔鏡タワーユニット上にないディスプレイへと眼をそらす必要なく、ディスプレイ及びディスプレイ上に表示された表示酸素飽和度情報を見ることができる。実施では、ディスプレイは、実施されている腹腔鏡処置に関する視野及び情報を表示し、酸素飽和度情報を表示するように適合される。
【手続補正５】
【補正対象書類名】明細書
【補正対象項目名】０１５４
【補正方法】変更
【補正の内容】
【０１５４】
実施では、プローブユニットがディスプレイに有線接続される場合、プローブユニットの無線トランスミッターは、無線通信リンクによってディスプレイに酸素測定情報を送信しない。すなわち、プローブユニット及びディスプレイが、酸素測定情報の通信のために有線接続される場合、無線トランスミッターは無効となり得る。実施では、プローブユニットとディスプレイの間の直接の有線及び無線の通信の両方は、情報を交換するためこれらのエレメントによって使用される。